(57)【特許請求の範囲】
【請求項１】
複数の原稿からなる原稿束について、それぞれの原稿の画像データを連続して読み取ることができる原稿読取装置であって、
原稿束から原稿を順次供給する自動原稿供給手段と、前記原稿の色情報を検知する色情報検知手段とを有し、供給された前記原稿を読み取って読取画像データを生成する画像読取部と、
前記読取画像データを読み出して、その色空間が前記原稿に対して設定された出力色空間に変換処理された出力画像データを生成する画像処理部と、
前記画像読取部及び前記画像処理部を制御する読取制御部と、を備え、
前記読取制御部は、前記色情報検知手段からの前記原稿の前記色情報、または前記原稿に対して指定された指定色空間に基づいてそれぞれの前記原稿に対する前記出力色空間を設定する色空間設定手段を有するとともに、
前記色空間設定手段は、前記原稿に対する前記指定色空間の指定が有れば前記指定色空間を、また、指定が無ければ前記色情報検知手段からの前記色情報に対応した既定色空間をそれぞれの前記原稿に対する前記出力色空間として設定することを特徴とする原稿読取装置。
【請求項２】
前記読取制御部は、同一の前記原稿に対する前記画像読取部及び前記画像処理部による画像読み取り及び画像処理の実行回数を、それぞれの前記原稿に対して設定または変更することを特徴とする請求項１記載の原稿読取装置。
【請求項３】
前記読取制御部は、同一の前記原稿に対する前記画像読取部及び前記画像処理部による画像読み取り及び画像処理の実行回数が複数回である場合に、前記色空間設定手段において各回ごとに前記出力色空間を設定することを特徴とする請求項１または２記載の原稿読取装置。
【請求項４】
請求項１〜３のいずれか一項記載の原稿読取装置と、
前記原稿読取装置に接続されて、前記色空間設定手段に対して前記指定色空間の指示を行う読取指示装置と、を有する原稿読取システム。
【請求項５】
前記読取指示装置は、前記自動原稿供給手段による前記原稿の供給または交換の指示をさらに行うことを特徴とする請求項４記載の原稿読取システム。
【請求項６】
前記読取制御部は、前記読取指示装置に対して前記色情報検知手段からの前記色情報を出力することを特徴とする請求項４または５記載の原稿読取システム。
【発明の詳細な説明】
【０００１】
【発明の属する技術分野】
本発明は、自動原稿供給手段を備え、複数の原稿の画像データを連続して読み取ることが可能なスキャナなどの原稿読取装置、及びそれを用いた原稿読取システムに関するものである。
【０００２】
【従来の技術】
従来、自動原稿供給装置（ＡＤＦ：Automatic Document Feeder）を備えるスキャナやスキャナ機能を有する複写機などの原稿読取装置が知られている。このような原稿読取装置においては、自動原稿供給装置に複数の原稿からなる原稿束をセットすると、自動原稿供給装置によって原稿が一枚ずつ順次搬送・供給されて、各原稿に対する原稿画像データの読み取りが連続して行われる（例えば特開平１０−２００６８２号公報）。
【０００３】
【発明が解決しようとする課題】
原稿読取装置の画像読取部によって読み取られた原稿の読取画像データは、通常、指定された色空間を含む所定の画像データ形式にしたがって変換された後に、出力画像データとして出力される（色空間変換については、例えば特開平８−８８７８０号公報）。
【０００４】
この色空間について、自動原稿供給装置を用いて連続的な原稿読み取りを行うときに、それぞれの原稿の出力画像データに適用される色空間を自動的に設定する自動色選択モードによって原稿読み取りが行われる場合がある。具体的には、画像読取部に設けられた色情報検知手段によって、各原稿について色情報を取得してカラー原稿か白黒原稿かを検知する。そして、その検知結果に基づいて、カラー原稿及び白黒原稿のそれぞれに対してあらかじめ与えられた既定色空間を、その原稿の出力画像データのデータ形式に適用する出力色空間として自動的に選択し設定する。
【０００５】
しかしながら、上記したような自動色選択機能を利用した原稿読み取りにおいては、セットされた原稿束に含まれる全原稿に対して自動色選択モードでの読み取りが連続して行われるため、原稿束中の一部の原稿に対して出力色空間を変更することができない、という問題がある。例えば、原稿束中のある特定の原稿についてサムネイルを作成したい場合、その原稿に対して、サムネイル画像用に設定された色空間による画像データを作成する必要がある。
【０００６】
このとき、自動色選択モードを選択した場合には、自動色選択機能によって既定色空間から選択・設定された出力色空間で出力された出力画像データを、サムネイル用の色空間にあらためて変換して画像データを生成しなければならないなど、作業効率上の問題を生じる。また、特定の白黒原稿に対してカラー原稿と同一の色空間を設定したい場合など、それぞれの原稿読み取り作業における様々な要求に対応することができない。
【０００７】
本発明は、以上の問題点に鑑みてなされたものであり、自動色選択モードを指定した場合においても、それぞれの原稿に対する出力画像データの色空間を個別に指定することが可能な原稿読取装置、及びそれを用いた原稿読取システムを提供することを目的とする。
【０００８】
【課題を解決するための手段】
このような目的を達成するために、本発明による原稿読取装置は、複数の原稿からなる原稿束について、それぞれの原稿の画像データを連続して読み取ることができる原稿読取装置であって、（１）原稿束から原稿を順次供給する自動原稿供給手段と、原稿の色情報を検知する色情報検知手段とを有し、供給された原稿を読み取って読取画像データを生成する画像読取部と、（２）読取画像データを読み出して、その色空間が原稿に対して設定された出力色空間に変換処理された出力画像データを生成する画像処理部と、（３）画像読取部及び画像処理部を制御する読取制御部と、を備え、（４）読取制御部は、色情報検知手段からの原稿の色情報、または原稿に対して指定された指定色空間に基づいてそれぞれの原稿に対する出力色空間を設定する色空間設定手段を有するとともに、色空間設定手段は、原稿に対する指定色空間の指定が有れば指定色空間を、また、指定が無ければ色情報検知手段からの色情報に対応した既定色空間をそれぞれの原稿に対する出力色空間として設定することを特徴とする。
【０００９】
自動原稿供給装置を備えた原稿読取装置における従来の自動色選択モードの原稿読み取り動作では、各原稿に対して検知されたカラー原稿または白黒原稿の色情報に基づいて、対応する既定色空間を出力色空間として選択する。これに対して、上記した原稿読取装置に設けられた読取制御部の色空間設定手段においては、検知された色情報に加えて、それぞれの原稿に対して個別に指定された指定色空間を参照し、それらに基づいてその原稿に適用される出力色空間を設定することが可能な構成とされている。
【００１０】
これによって、自動色選択モードを動作モードとして指定した場合においても、その基本動作として自動色選択機能による原稿読み取り動作を行いつつ、他の色空間をデータ形式として用いた画像データを生成する必要がある任意の原稿に対して、出力色空間を変更して指定色空間によって出力画像データを生成することが可能となる。
【００１１】
また、色空間設定手段は、原稿に対する指定色空間の指定が有れば指定色空間を、また、指定が無ければ色情報検知手段からの色情報に対応した既定色空間をそれぞれの原稿に対する出力色空間として設定することを特徴とする。
【００１２】
このように、各原稿に対する色空間の指定の有無により、個別に指定された指定色空間、または検知された色情報に基づく既定色空間を出力色空間として設定することによって、自動色選択モードによる基本動作と、一部の原稿読み取りへの色空間指定・変更との両立を効率的に実現することができる。
【００１３】
この場合、ある原稿読み取りに対して指定色空間を適用した場合においても自動色選択モードにおける既定色空間は変更されないので、続く読み取りに対して色空間指定を行わない場合には、再び通常の自動色選択モードの原稿読み取り動作へと復帰させることができる。
【００１４】
また、読取制御部は、同一の原稿に対する画像読取部及び画像処理部による画像読み取り及び画像処理の実行回数を、それぞれの原稿に対して設定または変更することを特徴とする。
【００１５】
これによって、同一原稿に対して複数回の原稿読み取りを行うことができると同時に、各原稿によって異なる原稿読み取り回数とすることが可能となる。例えば原則として各原稿を１回ずつ読み取るように原稿読み取りを行っている場合に、任意の原稿に対して必要に応じて原稿読み取りを行う回数を変更して複数回読み取ることができる。
【００１６】
さらに、読取制御部は、同一の原稿に対する画像読取部及び画像処理部による画像読み取り及び画像処理の実行回数が複数回である場合に、色空間設定手段において各回ごとに出力色空間を設定することを特徴としても良い。この場合、同一の原稿に対して、サムネイル画像と本画像とを取得するなど、色空間の異なる複数の画像データを取得することができる。なお、同一の色空間によって複数回の読み取りを行うこともできる。
【００１７】
また、本発明による原稿読取システムは、（１）上記した原稿読取装置と、（２）原稿読取装置に接続されて、色空間設定手段に対して指定色空間の指示を行う読取指示装置と、を有する。
【００１８】
上述した原稿読取装置に設けられている色空間設定手段は、外部機器に対しては、各原稿に対して個別に指定色空間を指示または制御することができるインターフェイスとして機能する。したがって、この原稿読取装置に対して、さらに読取指示装置を接続して原稿読取システムを構成することによって、例えば原稿読み取りの操作者が外部機器である指示装置から指定色空間を指示することが可能な構成とすることができる。
【００１９】
また、この読取指示装置は、自動原稿供給手段による原稿の供給または交換の指示をさらに行うことを特徴としても良い。これによって、同一の原稿に対して複数回の読み取りを行う場合などにおいて、原稿交換をして次原稿の読み取りに移行するか、または原稿交換をせずに再度読み取りを行うか、などの指示を行うことができる。
【００２０】
さらに、読取制御部は、読取指示装置に対して色情報検知手段からの色情報を出力することを特徴とする。これによって、操作者による指定色空間の選択などにおいて、その原稿に対して検知された色情報を参照することができるなど、原稿読み取り動作についての指示をさらに効率化することができる。
【００２１】
【発明の実施の形態】
以下、図面と共に本発明による原稿読取装置及び原稿読取システムの好適な実施形態について詳細に説明する。なお、図面の説明においては同一要素には同一符号を付し、重複する説明を省略する。
【００２２】
図１は、本発明による原稿読取装置を備える原稿読取システムの一実施形態の構成を示すブロック図である。この原稿読取システムは、原稿読取装置１と、読取指示装置５とを備える。ここで、図１中の各矢印については、実線矢印は制御経路のうちの色情報及び色空間に関する制御経路を、点線矢印は色情報及び色空間以外に関する制御経路を、二重線矢印は原稿の画像データが送られるデータ経路をそれぞれ示している。
【００２３】
原稿読取装置１は、画像読取部１０、画像メモリ２０、画像処理部３０、及び読取制御部４０を有して構成されている。画像読取部１０には自動原稿供給部１１が設置されており、複数の原稿からなる原稿束がこの自動原稿供給部１１にセットされて読み取りが開始されると、自動原稿供給部１１は読み取りを行う原稿を一枚ずつ供給・搬送する。
【００２４】
自動原稿供給部１１から供給されたそれぞれの原稿について、画像読取部１０で読み取られた原稿の読取画像データは、画像メモリ２０に一時格納される。さらにこの読取画像データは、画像処理部３０によって読み出され、所定の画像データ形式を有する画像データへと変換処理されて、出力画像データが生成される。
【００２５】
画像読取部１０及び画像処理部３０を含む原稿読取装置１の原稿読み取り動作は、読取制御部４０によって制御されている。この読取制御部４０は、画像読取部１０、画像処理部３０、及び後述する読取指示装置５に対してシリアルラインで接続されて、各部の制御・指示等を行っている。
【００２６】
読取制御部４０は、画像読取部１０に対して原稿読み取り指示、原稿供給・交換の指示等を行う。また、画像処理部３０に対して画像データの変換処理の指示、変換する画像データ形式の指定等を行う。この読取制御部４０による装置各部の動作制御にしたがって、原稿束に含まれる原稿のそれぞれに対する画像読み取り、画像処理、及び外部への出力等が順次実行される。
【００２７】
上述した出力画像データの画像データ形式を指定する要素の１つとして、画像データの色空間がある。出力画像データに適用される出力色空間は、読取制御部４０に設けられた色空間設定部４１において各原稿に対して設定される。色空間設定部４１で設定された出力色空間は画像処理部３０に対して指示され、画像処理部３０は、指示された出力色空間を含む所定の画像データ形式によって、読取画像データから出力画像データへの変換処理を行う。
【００２８】
さらに、図１に示した原稿読取装置１は、出力色空間の設定を自動的に行う自動色選択モードを動作モードの１つとして有して構成されている。図１に示した画像読取部１０には、自動色選択モードにおいて用いられる色情報検知部１２が設けられている。この色情報検知部１２は、それぞれの原稿がカラー原稿または白黒原稿のどちらであるかを検知して、検知結果である色情報（カラーまたは白黒）を読取制御部４０へと通知する。自動色選択モードにおいては、読取制御部４０の色空間設定部４１は、色情報検知部１２からの各原稿に対する色情報に基づいて、検知された色情報に対応する既定色空間をあらかじめ用意された既定色空間から選択し、その原稿の出力色空間として設定して画像処理部３０に対して指示する。
【００２９】
本実施形態においては、このような自動色選択モードにおいて、上記した既定色空間からの選択に加えて、出力色空間を各原稿に対して個別に指定することが可能なように色空間設定部４１が構成されている。
【００３０】
すなわち、色空間設定部４１は色情報検知部１２からの色情報に基づいて既定色空間から出力色空間を選択して設定するが、その原稿に対して個別に指定色空間が指示されている場合には、得られた色情報及び対応する既定色空間にかかわらず、指定色空間を出力色空間として設定して、画像処理部３０に対して指示する。したがって、自動色選択モードにおいても、原稿束中の任意の原稿に対して自動的に選択された既定色空間とは異なる色空間を出力色空間として指定することが可能とされている。
【００３１】
また、読取制御部４０は、同一の原稿に対して複数回の画像読み取り・画像処理を行うように画像読取部１０及び画像処理部３０を動作制御することが可能なように構成されている。例えば、各原稿に対して１回ずつ原稿読み取りを行っている場合でも、任意の原稿に対して必要に応じて原稿読み取り回数を変更して複数回読み取ることが可能である。さらに、同一の原稿に対して色空間設定部４１において各読み取りごとに出力色空間を設定することが可能とされている。これによって、指定色空間による読み取りの後に既定色空間による読み取りを実行するなど、異なる色空間による同一原稿の複数の出力画像データを取得することができる。また、同一の色空間で複数回読み取りを行うことも可能である。
【００３２】
本実施形態においては、上記した原稿読取装置１に読取指示装置５が接続されて、原稿読取システムが構成されている。読取制御部４０、特にその色空間設定部４１は、外部機器に対しては指定色空間の指示を可能にするインターフェイスとして機能しており、外部機器として読取指示装置５を接続することによって、操作者が色空間を入力して原稿読取装置１に対して指示するなど、色空間設定部４１に対する指定色空間の指示を行うことが可能な構成となる。
【００３３】
なお、読取指示装置５は、さらに自動原稿供給部１１による原稿の交換・供給を読取制御部４０に対して指示するなど、出力色空間以外にも読み取り動作に関する様々な指示を行う構成としても良い。さらに、画像処理部３０からの出力画像データの受信及び出力・表示等を同時に行っても良い。
【００３４】
このような読取指示装置５としては、必要な入出力機能を有する入出力装置であって、さらにホストコンピュータ等に接続されているものを用いることができる。また、読取指示装置５自体がホストコンピュータであっても良い。あるいは、読取指示装置５が原稿読取装置１に接続されて一体に設置された構成とすることもできる。また、必要に応じてディスプレイなどの表示装置やハードディスクなどの記憶装置を設けても良い。なお、読取指示装置５から原稿読取装置１への色空間や原稿交換等に関する指示については、あらかじめ設定されたコマンド等によって行うことが好ましい。
【００３５】
本発明による原稿読取装置及び原稿読取システムの動作について説明する。図２は、図１に示した原稿読取システムの動作の一例を示すフローチャートである。
【００３６】
まず、読み取ろうとする複数の原稿からなる原稿束が自動原稿供給部１１にセットされた後、読取指示装置５から自動色選択モードでの原稿読み取り開始が指示されると（ステップＳ１０１）、自動原稿供給部１１から原稿が供給され（ステップＳ１０２）、供給された原稿の色情報が色情報検知部１２によって検知される（ステップＳ１０３）。ここでは、その原稿がカラー原稿または白黒原稿のどちらであるかが色情報として検知されて、色空間設定部４１に通知される。
【００３７】
次に、色空間設定部４１において出力色空間の設定が行われる。まず、適用する色空間の指定がされているかどうかが判断される（ステップＳ１０４）。そして、指定されていれば出力色空間＝指定色空間と設定され（ステップＳ１０５）、一方、指定されていなければ出力色空間＝既定色空間と設定される（ステップＳ１０６）。ここで、既定色空間は読み取り開始前または開始時にあらかじめ与えられているものであり、例えば図２においては、色情報＝カラーであれば既定色空間＝ＹＭＣＫ、色情報＝白黒であれば既定色空間＝Ｋとされている。
【００３８】
指定色空間または既定色空間によって出力画像データに適用される出力色空間が設定され、画像処理部３０に対して指示されたら（ステップＳ１０７）、画像読み取りが行われる（ステップＳ１０８）。すなわち、原稿の画像が画像読取部１０において読み取られて読取画像データが画像メモリ２０に出力され、さらに画像処理部３０において、指示された出力色空間を含む所定の画像データ形式によって読取画像データが出力画像データに変換処理される。
【００３９】
原稿の画像読み取りが終了すると、原稿交換の指示があるかどうかが判断される（ステップＳ１０９）。原稿交換の指示がなければ、再び同一原稿についての読み取りを行うため、ステップＳ１０４〜Ｓ１０９の動作が繰り返される。原稿交換の指示があれば、自動原稿供給部１１に次の原稿があるかどうかが判断される（ステップＳ１１０）。次の原稿があれば、その原稿に対してステップＳ１０２〜Ｓ１１０の動作が繰り返される。次の原稿がなければ、その原稿束についての原稿読み取りを終了する。
【００４０】
本発明による原稿読取装置及び原稿読取システムの効果について説明する。上記した実施形態の原稿読取装置１及びそれを用いた原稿読取システムにおいては、その動作の一例を図２に示したように、自動色選択モードにおいても、検知された色情報にかかわらずに出力色空間を指定することが可能である。
【００４１】
すなわち、通常の自動色選択モードにおいては、色情報検知（ステップＳ１０３）の結果に基づいて対応する既定色空間が出力色空間として選択される（ステップＳ１０６）。これに対して、上記した原稿読取装置１においては、色空間設定部４１において、色空間の指定がされているかどうかを判断する（ステップＳ１０４）。そして、色空間の指定がない場合には、通常の自動色選択モードの動作と同様に既定色空間から出力色空間を設定するが、色空間の指定がある場合には、その指定色空間を出力色空間として設定する（ステップＳ１０５）。
【００４２】
これによって、自動色選択モードでの動作中においても、任意の原稿に対して他の色空間での画像データを取得したい場合に、その色空間を指定色空間として指示することが可能となる。例えば、特定の原稿に対してサムネイル画像を作成したいときに、サムネイル用の色空間を指定色空間として指示することによって、画像データ取得後でのデータ変換作業を行わずに、原稿読み取り時に異なる色空間での出力画像データを取得することができる。
【００４３】
また、原稿読み取り終了後に、原稿交換の指示があるかどうかを判断した上で原稿の交換を行っている（ステップＳ１０９）。したがって、原稿交換の指示をせずに、同一の原稿に対して、異なる色空間による画像データなど複数の出力画像データを取得することができる。この場合、各原稿に対する原稿読取の実行回数を別個に設定または変更することが可能である。例えば、サムネイル画像と本画像とを取得したい原稿に対して、それぞれに対応する色空間によって２回の読み取り動作を実行することができる。また、同一の色空間によって複数回の読み取りを行うこともできる。
【００４４】
なお、指定色空間による出力色空間の変更については、指示によって色情報に対応する既定色空間自体を変更することも可能であるが、上記した実施形態においては、既定色空間の設定については変更せずに指定色空間の適用を行っている。したがって、ある原稿読み取りに対して個別に色空間の指定を行った場合においても、再度の色空間設定を行わずに、次の読み取りで通常の自動色選択モードでの読み取り動作に復帰することが可能である。
【００４５】
また、読取指示装置５は指定色空間の入力に用いられているが、色情報検知部１２によって得られた色情報を読取制御部４０を介して読取指示装置５に出力して表示装置に表示させ、操作者がその情報に基づいて指定色空間を決定して読取指示装置５から入力する構成としても良い。
【００４６】
図３は、図１に示した原稿読取システムの動作の他の例について、読取指示装置５、読取制御部４０、画像読取部１０、及び画像処理部３０間の指示・制御及び各情報・画像データの流れを示す図である。
【００４７】
まず、指示装置５から制御部４０に対して自動色選択モードでの読み取り開始指示が行われると、制御部４０は読取部１０に対して読み取り動作開始及び原稿供給開始を、また、処理部３０に対して読み取り処理開始を指示する（ステップＳ２０１）。読取部１０は色情報検知部１２によって供給された原稿についての色情報を検知する。この色情報は制御部４０及び指示装置５に対して通知される（ステップＳ２０２）。
【００４８】
通知された色情報を参照して、１回目の画像読み取りが行われる（ステップＳ２０３）。この読み取りにおいては色空間がＲＧＢに指定された後、原稿読み取りの指示が行われる。制御部４０はこの指定及び指示に基づいて、読取部１０に対して読み取りの指示を、また、処理部３０に対して出力色空間をＲＧＢとした出力画像データ生成の指示を行い、これによって画像読み取り、画像処理、及び出力が行われる。
【００４９】
図３に示した動作例においては、さらに２回目の画像読み取りが行われる（ステップＳ２０４）。この読み取りにおいては色空間の指定は行われずに、原稿読み取りの指示が行われる。制御部４０は、１回目の読み取りと同様に読取部１０に対して読み取りの指示を、また、処理部３０に対して出力画像データ生成の指示を行って、画像読み取り、画像処理、及び出力が行われる。
【００５０】
このとき、指定色空間が指示されていないので、ステップＳ２０２において得られた色情報に基づいて、カラー原稿であれば対応する既定色空間であるＹＭＣＫを、また、白黒原稿であれば対応する既定色空間であるＫを出力色空間として出力画像データ生成の指示を行う。なお、これらの既定色空間については、読み取り開始指示時にステップＳ２０１において、指示装置５から制御部４０に対して指示するなどの設定方法がある。
【００５１】
２回目の画像読み取り終了後、指示装置５から制御部４０を介して、読取部１０に対して原稿交換が指示される（ステップＳ２０５）。そして、交換された原稿に対してステップＳ２０２と同様に色情報の検知及び通知が行われ（ステップＳ２０６）、その色情報を参照して、次の原稿読み取り動作が開始される。このような読み取り動作は、全原稿の読み取りが終了するまで繰り返される。
【００５２】
全原稿の読み取りが終了すると、指示装置５から制御部４０を介して、読取部１０及び処理部３０に対して読み取り動作終了の指示がされて、この原稿束についての全読み取り動作を終了する（ステップＳ２０７）。
【００５３】
本発明による原稿読取装置及び原稿読取システムは、上記した実施形態に限られるものではなく、様々な変形や構成の変更が可能である。原稿読取装置については、原稿読み取りのためのスキャナや、スキャナ機能を有する複写機など、原稿読み取り機能を有する様々な装置とすることができる。また、その具体的な動作についても、図２及び図３に示したものに限らず、様々な原稿読み取り動作制御が可能である。
【００５４】
【発明の効果】
本発明による原稿読取装置及び原稿読取システムは、以上詳細に説明したように、次のような効果を得る。すなわち、自動原稿供給装置を備えて複数の原稿を連続して読み取る原稿読取装置において、自動色選択モードを指示した場合に、読取制御部の色空間設定部が、画像読取部の色情報検知部で検知された色情報に基づいて選択された既定色空間とは別に、その原稿に対して個別に指定された指定色空間をも参照して出力色空間を設定する構成とする。これによって、自動色選択モードでの原稿読み取り動作の設定の自由度が大幅に向上し、例えば原稿束中の任意の原稿に対して他の原稿とは異なる色空間を適用する場合や、同一原稿に対して異なる色空間での複数の画像データを取得する場合など、自動色選択モードを基本動作としつつ、適宜出力色空間の変更を行って、様々な読み取り動作を行うことが可能となる。
【００５５】
この場合、原稿束の読み取り終了後に特定の原稿のみ再度読み取りを行ったり、読み取られた画像データの変換を行ったりするなどの必要がなくなるので、原稿読み取り作業が簡単化される。例えば、このような色空間の変更は画像データファイリングなどによる画像データ管理において必要となる場合があるので、上記のような原稿読取装置及び原稿読取システムの構成とすることによって、原稿読み取り作業の簡単化と同時に、読み取られた画像データの管理などについても効率化することができる。
【図面の簡単な説明】
【図１】原稿読取装置を備える原稿読取システムの一実施形態の構成を示すブロック図である。
【図２】図１に示した原稿読取システムの動作の一例を示すフローチャートである。
【図３】図１に示した原稿読取システムの動作の他の例を示す図である。
【符号の説明】
１…原稿読取装置、１０…画像読取部、１１…自動原稿供給部、１２…色情報検知部、２０…画像メモリ、３０…画像処理部、４０…読取制御部、４１…色空間設定部、５…読取指示装置。
【図１】
0003765205.tif 000002
【図２】
0003765205.tif 000003
【図３】
0003765205.tif 000004